(57)【要約】【課題】袋体の開封を容易にする開封補助帯を、デザイン性がありしかもバリヤー性があるものとする。【解決手段】開封補助帯として、それ自体が特定の意味合いを持つ図形により構成される多数個の切り目線を包装材の開封ラインに沿って略等間隔毎に配設してなる。これにより例えば人気キャラクター等の趣向的な絵柄を施すことにより商品等を構成するシートの開封部分が注目されやすく、デザイン効果を著しく向上させることができ、商品の販売促進効果も大いに期待することができる。また各絵柄が無端状のハーフカットラインにより形成されている場合には在来のミシン目を施したものに比べ、引き裂き性に優れ、しかもカットする刃の耐久強度を増すことができる。さらにハーフカットラインであるために内容物との関係でバリヤー性にも優れる。【選択図】図１
2007238107.tif 000002
【特許請求の範囲】
【請求項１】
それ自体が特定の意味合いを持つ図形により構成される多数個の切り目線を包装材の開封ラインに沿って略等間隔毎に配設してなる開封補助帯。
【請求項２】
それ自体が特定の意味合いを持つ図形が、単独で特定の観念を想起させるものであるところの請求項１に記載の開封補助帯。
【請求項３】
図形が特定の絵柄からなるものである請求項１に記載の開封補助帯。
【請求項４】
図形が特定の変形文字からなるものである請求項１に記載の開封補助帯。
【請求項５】
図形が特定の絵柄と変形文字との組み合わせからなるものである請求項１に記載の開封補助帯。
【請求項６】
絵柄又は／及び変形文字からなる図形が包装材の開封ラインに沿って複数列並行して設けられているところの請求項１〜５の何れか１に記載の開封補助帯。
【発明の詳細な説明】
【技術分野】
【０００１】
本発明は、紙やプラスチック材などを用いて密封された包装袋や函体などにおける開封を容易にするための補助帯に関し、開封を容易にするだけでなく、とくに補助帯にデザイン性を付与し、また販売のための宣伝広告機能をもたせることを目的とする。
【背景技術】
【０００２】
紙袋や函体などにおける開封を容易にするための手段としては、これまでにたとえば開封予定部分にミシン目を入れるようにしたものや、あるいは開封予定線に沿って開封用のテープを貼り合わせたものなどがある。また上記のミシン目に代えて変形ミシン目状の切り目とし、開封時における１つの切れ目端からの破れ方向の逸れを次の切れ目で補正できるように二次元の広がりを持ち、かつ少なくとも一方側の切れ目端が前記広がり幅の内方で終端する形で断続状に形成され、さらに開封ラインに沿って前記切れ目線が若干の間隔を介して複数列形成するようにした包装袋も知られている（特許文献１参照）。
【特許文献１】実用新案登録第２５６６４４４号公報
【発明の開示】
【発明が解決しようとする課題】
【０００３】
しかしながら、上記したミシン目を施したものにあっては、その個々の部分については、見ようによってはハの字状あるいはＹ字状のようにも見えるが、これらのミシン目が外観性の面では何ら配慮されておらず、またそれ自体としては格別の意味合いを有するものでないことは明らかであって、包装材表面に施されている絵柄との対比において見劣りしがちであり、また意匠性を損ないやすい傾向がある。またシートの材質如何にもよるが、引き裂き時にミシン目線から外れて予期しない方向に破れたりすることが多く、また特許文献１に表されている変形ミシン目を施したものも含めて、密封された袋などに対する使用態様如何によっては内容物に対するバリヤー性の面で問題となることもある。
【課題を解決するための手段】
【０００４】
そこで本発明にあっては、とくにそれ自体がデザイン性に優れ、しかも外観性状が良好であるばかりでなく広告的機能をもたせることができ、さらにバリヤー性の問題をも解決することができるようにしたものであって、具体的には、それ自体が特定の意味合いを持つ図形により構成される多数個の切り目線を包装材の開封ラインに沿って略等間隔毎に配設してなる開封補助帯に関する。
【発明の効果】
【０００５】
本発明は上記の通り、開封補助帯として、それ自体が特定の意味合いを持つ図形により構成される多数個の切り目線を包装材の開封ラインに沿って略等間隔毎に配設してなるものであるために、例えば人気キャラクター等の趣向的な絵柄を施すことにより商品等を構成するシートの開封部分が注目されやすく、デザイン効果を著しく向上させることができ、広告宣伝機能を持たせて商品の販売促進効果も大いに期待することができる。
【０００６】
また開封補助帯を構成する各絵柄が無端状のハーフカットラインにより形成されている場合においては在来のミシン目を施したものに比べ、内容物との関係でバリヤー性に優れるばかりでなく、引き裂き性にも優れる。さらにハーフカットを施す金型の刃が直線状である場合に比して無端状のものは左右両側共に刃体が幅方向に連続するものであるために刃体の強度が増し、刃の部分的な欠損が著しく減少して耐久性を向上させることができる。
【発明を実施するための最良の形態】
【０００７】
以下において本発明の具体的な内容を図の実施例をもとに説明すると、図１において１はシート１ａを袋状に形成して上方を開口部２とした密封包装体をあらわしており、さらに開口部２には該開口部２を密封または開放可能な合わせチャック５が施されているとともに、その上方には合わせチャック５に沿って開封補助帯３が形成されている。なお同図において４は切り込みノッチ、６は合わせチャック５と開封補助帯３の間に印刷されたところの、挟みによる切り取り線をあらわしている。
【０００８】
なお、ここで用いられるシート１ａについては、各種の飲食材料や薬剤類、歯磨、化粧料などをはじめとし、種々の用途に用いられる袋状の包装体として適するものであれば紙や樹脂シート、あるいは樹脂等のフィルムを重合させたラミネートシートなどのすべての材料が含まれる。
【０００９】
さらに開封補助帯３は、シート１ａの開口縁に平行となるようにシート１ａの開封ライン（この場合には合わせチャック５と平行な部分）ＯＬに沿って略均等間隔毎に配置されたところの、無端状のハーフカットラインにより形成された図形などの絵柄３ａの連続により形成される。なおこの場合の図形などの絵柄３ａの表現については、上記した無端状のハーフカットラインのほかに無端状のミシン目などの切り目線により表現するようにしてもよい。
【００１０】
さらに上記した絵柄３ａなどの図形については、それ自体が特定の意味合いを持つものでなければならない。具体的には図１〜２にあらわしたようなハート型をしたものや、金魚（図３）、ヒヨコ（図４）、あるいは魚類（図５〜６）などでもよい。また図７（Ａ）あるいは（Ｂ）にあらわしたような図形と文字との組み合わせによりそれぞれ特定の観念を生出させる絵柄３ａを開封ラインＯＬに沿って略等間隔毎に配設してなるものであってもよい。
【００１１】
またこの場合に、シート１ａの開封ラインＯＬに沿って均等間隔毎に配してなる各絵柄３ａが、図１および図２にあらわしたように破断終了側端部Ｙに比べて開封開始側端部が広幅Ｘとなるように構成すると開封ラインＯＬに沿った開封時において、破断終了側端部Ｙから先の破断線が開封ラインＯＬより逸れた場合においても、以後の絵柄３ａの幅広の開封開始側端部の広幅部Ｘによって補正される結果、順次開封ラインＯＬに沿った確実な開封が可能となる。
【００１２】
さらにこの場合に、シート１ａの開封ラインＯＬに沿って均等間隔毎に配してなる各絵柄３ａの開封開始側端部であって、幅広部Ｘ間の少なくとも一部に形成されたところの後方突出部間Ｚにそれぞれ凹部３ｂを形成した場合においては、上記開封ラインＯＬに沿った開封時に該凹部３ｂが他部に先んじて破断するために開封がより一層容易かつ確実となる。
【００１３】
また、上記した無端状のハーフカットラインにより形成される絵柄３ａについては、同じく無端状のハーフカットラインにより形成される文字からなるものであってもよく、さらに上記したシート１ａの開封ラインＯＬに沿って均等間隔毎に配して形成される絵柄３ａを複数列並行して設けると、シート１ａの材質自体に上記開封方向と異なる方向の破断特性を有する場合においても複数列のいずれかの列の絵柄３ａによって破断方向が補正されるために、より一層確実な開封が可能となる。
【００１４】
なお、開封ラインＯＬに沿って均等間隔毎に配して形成される絵柄３ａの他の具体例について図３〜６に示す。図３にあらわした絵柄３ａは、金魚のモチーフを無端状のハーフカットラインにより形成し、これを開封ラインＯＬに沿って図（Ａ）に示したように等間隔毎に形成したものであり、個々の絵柄３ａは図（Ｂ）に拡大してあらわしたように、破断終了側端部Ｙに比べて開封開始側端部が広幅部Ｘとなるように構成するとともに、さらに開封開始側端部であって、広幅部Ｘ間の少なくとも一部に形成されたところの後方突出部間Ｚ１、およびＺ２間にそれぞれ凹部３ｂを形成してある。
【００１５】
また図４にあらわした絵柄３ａは、ヒヨコのモチーフを無端状のハーフカットにより形成した本体部３ｃと、同じくハーフカットにより形成したところのヒヨコの足に相当する付随部３ｄとよりなり、これにより無端状のハーフカットラインにより形成された図形（本体部３ｃ）を含む絵柄３ａを構成している。これを開封ラインＯＬに沿って図（Ａ）に示したように等間隔毎に形成したものであり、個々の絵柄３ａは図（Ｂ）に拡大してあらわしたように、破断終了側端部Ｙに比べて開封開始側端部が広幅Ｘとなるように構成するとともに、さらに開封開始側端部であって、幅広部Ｘ間の少なくとも一部に形成されたところの後方突出部間Ｚ１〜Ｚ５間にそれぞれ凹部３ｂを形成してある。
【００１６】
なおここで使用される絵柄３ａについては、消費者らの趣向に合致するものであれば格別種類を問わない。上記したもののほか、たとえば図５の（Ａ）〜（Ｄ）にあらわしたようなものでもよく、また絵柄３ａが無端状のハーフカットラインにより形成された絵柄が、販売企業の社名であったり、あるいは商標などの文字からなるものであってもよい。
【００１７】
さらに図６にあらわしたように、シート１ａの開封ラインＯＬに沿って均等間隔毎に配して形成される絵柄３ａが複数列並行して設けてある場合においては、開封ラインＯＬに沿った引き裂きに際して、引き裂き方向が開封ラインＯＬに対して多少ズレることがあっても複数列の絵柄３ａ部分のいづれかによって補正されるために、開封の安定性がより一層完全となる。
【００１８】
なお、上記の実施例においては本発明の開封補助帯３を形成する対象としてシート状のものについて説明をしたが、このほかにもカートン状のものなど包装材料全般について適用が可能である。
【図面の簡単な説明】
【００１９】
【図１】本発明の一実施例である開封補助帯を施した密封袋体の一例をあらわした袋体の正面図。
【図２】図１における開封補助帯の一部を拡大してあらわした開封補助帯の正面図。
【図３】本発明に係る開封補助帯を構成する絵柄の別の実施例をあらわした正面図（Ａ）および部分拡大図（Ｂ）。
【図４】本発明に係る開封補助帯を構成する絵柄の、さらに別の実施例をあらわした正面図（Ａ）および部分拡大図（Ｂ）。
【図５】本発明に係る開封補助帯を構成する絵柄の、さらに別の実施例をあらわした正面図。
【図６】本発明に係る開封補助帯を構成する絵柄の、さらに別の実施例をあらわした正面図。
【図７】本発明に係る開封補助帯を構成する絵柄の、さらに別の実施例をあらわした正面図（Ａ）（Ｂ）と、それらの部分拡大図（Ａ−１）および（Ｂ−１）。
【符号の説明】
【００２０】
１          密封包装体
１ａ        シート
２          開口部
３          開封補助帯
３ａ        絵柄
３ｂ        凹部
３ｃ        図形本体部
３ｄ        付随部
４          切り込みノッチ
５          合わせチャック
６          切り取り線
Ｘ          広幅部
Ｙ          破断終了側端部
Ｚ１〜Ｚ５  後方突出部間
ＯＬ        開封ライン
Ｚ１〜Ｚ５  後方突出部
【図１】
2007238107.tif 000003
【図２】
2007238107.tif 000004
【図３】
2007238107.tif 000005
【図４】
2007238107.tif 000006
【図５】
2007238107.tif 000007
【図６】
2007238107.tif 000008
【図７】
2007238107.tif 000009